(57)【特許請求の範囲】
【請求項１】
鉄塔を構成する長尺の鉄塔部材が交わる部材交点に配設され、前記鉄塔部材を伝わってきた雨水を受け容れる複数の雨水バケットと、
前記雨水バケット同士を連結し、一方の雨水バケット内の雨水を他方の雨水バケットに流す連結体と、
前記他方の雨水バケット内の雨水を所定の場所に導いて排水する排水体と、
を備えることを特徴とする鉄塔用雨水排水装置。
【請求項２】
前記連結体は、上方が開口した雨どい状で、前記一方の雨水バケット側から前記他方の雨水バケット側に延びる鉄塔部材に沿って、該鉄塔部材の下方に配設されている、
ことを特徴とする請求項１に記載の鉄塔用雨水排水装置。
【発明の詳細な説明】
【技術分野】
【０００１】
この発明は、鉄塔を構成する長尺の鉄塔部材を伝わってきた雨水を、集水して所定の場所に排水する鉄塔用雨水排水装置に関する。
【背景技術】
【０００２】
鉄塔は、上下方向に延びる主柱材や、斜めや水平方向などに配設された腹材などの、長尺のアングル材（鉄塔部材）によって構成されており、降雨時には、これらのアングル材に落下、付着した雨水がアングル材を伝わって下方に流れる。このため、鉄塔下部に位置するアングル材では、雨水が集水して水量が増し、アングル材同士が交わる（接続される）部材交点から、雨水が滝のようになって鉄塔敷地に落下する。また、主柱材を伝わってきた雨水が主柱材の基礎コンクリートに向って流れ、さらに、基礎コンクリートの天端（上面）から鉄塔敷地に流れ出る。
【０００３】
このようにして大量の雨水が鉄塔敷地に流れると、鉄塔敷地の土留め（敷地の崩壊を防止するための構造物）などが崩れ、排水溝が埋まって鉄塔敷地が侵食されてしまう。さらには、流出した土砂により、主柱材が埋没などして腐食するとともに、鉄塔敷地の崩れにより、鉄塔の基礎耐力が低下して鉄塔倒壊を招くおそれがある。
【０００４】
一方、鉄塔の下部の鉄塔部材に複数の受け皿を取り付け、鉄塔部材を伝わってきた雨水を受け皿で受け容れ、各受け皿内の雨水をそれぞれ導管で案内して処理槽に排水する、という技術が知られている（例えば、特許文献１参照。）。
【先行技術文献】
【特許文献】
【０００５】
【特許文献１】実開昭６２−１０３８８４号公報
【発明の概要】
【発明が解決しようとする課題】
【０００６】
ところで、各アングル材に付着した雨水は、上記のように、アングル材同士が交わる部材交点から滝のようになって落下するが、特許文献１の技術では、鉄塔の下部の鉄塔部材まで伝わってきた雨水を受け皿で受けるだけである。このため、部材交点から集中落下する雨水を受け止めることができず、鉄塔敷地の侵食や主柱材の腐食、さらには鉄塔倒壊などを確実に防ぐことはできない。
【０００７】
そこでこの発明は、雨水による鉄塔敷地の侵食などをより確実に防止することが可能な鉄塔用雨水排水装置を提供することを目的とする。
【課題を解決するための手段】
【０００８】
上記課題を解決するために、請求項１に記載の発明は、鉄塔を構成する長尺の鉄塔部材が交わる部材交点に配設され、前記鉄塔部材を伝わってきた雨水を受け容れる複数の雨水バケットと、前記雨水バケット同士を連結し、一方の雨水バケット内の雨水を他方の雨水バケットに流す連結体と、前記他方の雨水バケット内の雨水を所定の場所に導いて排水する排水体と、を備えることを特徴とする鉄塔用雨水排水装置である。
【０００９】
この発明によれば、鉄塔部材を伝わって部材交点側に流れた雨水が、各雨水バケットに受け容れられ、一方の雨水バケット内の雨水が、連結体を介して他方の雨水バケットに流される。そして、他方の雨水バケット内の雨水が、排水体によって所定の場所に導かれて排水される。
【００１０】
請求項２に記載の発明は、請求項１に記載の鉄塔用雨水排水装置において、前記連結体は、上方が開口した雨どい状で、前記一方の雨水バケット側から前記他方の雨水バケット側に延びる鉄塔部材に沿って、該鉄塔部材の下方に配設されている、ことを特徴とする。
【発明の効果】
【００１１】
請求項１の発明によれば、各部材交点側に流れた雨水が各雨水バケットに受け容れられ、排水体によって所定の場所に導かれて排水されるため、雨水が部材交点から集中落下することがなく、鉄塔敷地の侵食や主柱材の腐食、さらには鉄塔倒壊などをより確実に防ぐことが可能となる。また、一方の雨水バケット内の雨水を、連結体を介して他方の雨水バケットに流し、他方の雨水バケットに集めた雨水を排水体によって排水するため、すべての雨水バケットに対して排水体を設ける必要がない。このため、装置の構成が簡易になるとともに、排水場（所定の場所）を雨水バケットごとに設ける必要などがなく、設置や保守などに要する費用を軽減することが可能になる。
【００１２】
さらに、雨水バケット同士が連結体で連結されているため、特定の雨水バケット内の雨水量が多くなっても、この雨水バケットから他の雨水バケットに雨水が流れ、すべての雨水バケット内の雨水量がほぼ均等になる。この結果、雨水バケットから雨水が溢れ出ることが防止・抑制され、鉄塔敷地の侵食などをより確実に防ぐことが可能となる。
【００１３】
請求項２の発明によれば、一方の雨水バケット側から他方の雨水バケット側に延びる鉄塔部材に沿って、この鉄塔部材の下方に雨どい状の連結体が配設されているため、この鉄塔部材から直接落下した雨水が連結体で受け止められる。このため、鉄塔敷地への雨水の落下がより軽減され、鉄塔敷地の侵食などをより確実に防ぐことが可能となる。
【図面の簡単な説明】
【００１４】
【図１】この発明の実施の形態に係る鉄塔用雨水排水装置の配設状態を示す正面図である。
【図２】図１の鉄塔用雨水排水装置の配設状態を示す平面図である。
【図３】図１の鉄塔用雨水排水装置の雨水バケットを示す正面図（ａ）と、平面図（ｂ）と、側面図（ｃ）である。
【図４】図１の鉄塔用雨水排水装置の連結どいの配設状態を示す図である。
【発明を実施するための形態】
【００１５】
以下、この発明を図示の実施の形態に基づいて説明する。
【００１６】
図１は、この発明の実施の形態に係る鉄塔用雨水排水装置１の配設状態を示す正面図である。この鉄塔用雨水排水装置１は、鉄塔１００を構成する長尺の主柱材（鉄塔部材）１０１や腹材（鉄塔部材）１０２を伝わってきた雨水Ｗを、集水して所定の場所に排水する装置であり、主として、
後述する部材交点Ｋ１、Ｋ２に配設された複数の雨水バケット２Ａ〜２Ｈと、
雨水バケット２Ａ〜２Ｈ内の雨水Ｗを隣接する雨水バケット２Ａ〜２Ｈに流す連結どい（連結体）３と、
少なくとも１つの雨水バケット２Ａ〜２Ｈに配設された排水パイプ（排水体）４と、
を備えている。
【００１７】
鉄塔１００は、上下方向に延びる主柱材１０１や、水平方向や斜めに延びて主柱材１０１に接続された腹材１０２などから構成され、主柱材１０１と腹材１０２は、鋼製のアングル材で構成されている。また、この実施の形態では、鉄塔１００は、略四角錐形で、その下部（鉄塔敷地Ｇに最も近い腹材１０２側）において、２つの主柱材１０１間をつなぐように腹材１０２がＸ字状に配設され、さらに、このＸ字の中心（後述する第２の部材交点Ｋ２）を通り２つの主柱材１０１間をつなぐように、腹材１０２が水平に配設されている。
【００１８】
ここで、主柱材１０１と水平な腹材１０２とが交わる（接続される）交点・角部を第１の部材交点Ｋ１とし、Ｘ字状に配設された腹材１０２の交点・中心を第２の部材交点Ｋ２とする。そして、鉄塔１００が略四角錐形であるため、図１に示すような面状態が４面存在する。すなわち、図２に示すように、第１の部材交点Ｋ１および第２の部材交点Ｋ２がそれぞれ４つ存在し、これらの部材交点Ｋ１、Ｋ２に、後述するような雨水バケット２Ａ〜２Ｈが配設される。また、第２の部材交点Ｋ２には、板面が垂直に延び、各腹材１０２を連結する連結板１０３が配設されている。
【００１９】
雨水バケット２Ａ〜２Ｈは、各部材交点Ｋ１、Ｋ２に配設され、主柱材１０１や腹材１０２を伝わってきた雨水Ｗを受け容れる容器であり、部材交点Ｋ１、Ｋ２を囲むように形成、配設されている。ここで、図１中の第２の部材交点Ｋ２に配設される第２の雨水バケット２Ｂを例にして、主として以下に説明する。
【００２０】
この雨水バケット２Ｂは、図３に示すように、上面が開口した略立方体で、開口が連結板１０３の直下に位置するように配設されている。また、対向する両側面部２１の中央部にＬ字状の挿入穴２１ａが形成され、この挿入穴２１ａに斜めに延びる腹材１０２が貫通されている。さらに、挿入穴２１ａの内周面には緩衝材（図示せず）が配設され、この緩衝材によって雨水バケット２Ｂの振動などが吸収・緩和されるとともに、緩衝材と腹材１０２との隙間を介して、雨水バケット２Ｂ内の雨水Ｗが少しずつ外部に漏れ出るようになっている。
【００２１】
一方、両側面部２１の上端中央部には、Ｕ字状に切り欠いた装着溝２１ｂが形成され、この装着溝２１ｂに後述するような連結どい３が装着されている。この装着溝２１ｂの深さ・位置は、雨水バケット２Ｂ内の雨水Ｗが連結どい３を介して、隣接する雨水バケット２Ｂに流れやすいように設定されている。
【００２２】
また、雨水バケット２Ｂの平面形状（図３（ｂ）の形状）は、連結板１０３が中央に位置し、かつ連結板１０３の周囲を十分に囲って、連結板１０３（第２の部材交点Ｋ２）から落下する雨水Ｗを漏れなく受け容れられるように設定されている。さらに、雨水バケット２Ｂの深さ、つまり雨水バケット２Ｂの容量は、雨水バケット２Ｂ内の雨水Ｗが溢れ出ずに後述するような排水が円滑に行われるように設定されている。
【００２３】
このような雨水バケット２Ｂは、電気絶縁性を有する板、例えばＦＲＰ（繊維強化プラスチック）板で構成され、現物（現場）合わせで形成、配設されている。すなわち、ＦＲＰ板を現物の連結板１０３や腹材１０２に合わせて加工し、これらのＦＲＰ板を接合することで、雨水バケット２Ｂが形成、配設されている。
【００２４】
第１の部材交点Ｋ１に配設される雨水バケット２Ａ等も同等の構成であるが、図２に示すように鉄塔１００の角部に配設されるため、挿入穴２１ａおよび装着溝２１ｂが、直交する２つの側面部に形成されている点で、構成が異なる。
【００２５】
連結どい３は、隣接する雨水バケット２Ａ〜２Ｈ同士を連結し、一方の雨水バケット２Ａ〜２Ｈ内の雨水Ｗを他方の雨水バケット２Ａ〜２Ｈに流すものである。具体的には、断面が半円状で、上方が開口した長尺の雨どいで構成され、開口が上を向くように配設されている。また、この実施の形態では、一方の雨水バケット２Ａ〜２Ｈ側から他方の雨水バケット２Ａ〜２Ｈ側に延びる腹材１０２に沿って、この腹材１０２の下方に配設されている。
【００２６】
すなわち、図１および上記のように、第２の部材交点Ｋ２（連結板１０３）を通り水平に延びる腹材１０２に沿って、この腹材１０２の下方に連結どい３が配設され、連結どい３の一端部が一方の雨水バケット２Ａ〜２Ｈの装着溝２１ｂに装着・嵌合され、他端部が他方の雨水バケット２Ａ〜２Ｈの装着溝２１ｂに装着・嵌合されている。そして、一方の雨水バケット２Ａ〜２Ｈ内の雨水Ｗが、連結どい３を介して他方の雨水バケット２Ａ〜２Ｈに流れるものである。
【００２７】
ここで、後述するように、この実施の形態では、排水パイプ４が取り付けられた第１の雨水バケット２Ａのみから雨水Ｗが外部に排水されるため、この第１の雨水バケット２Ａに対して他の雨水バケット２Ｂ〜２Ｈから雨水Ｗが流れる。具体的には、例えば、第３の雨水バケット２Ｃ（一方の雨水バケット２）内の雨水Ｗが、連結どい３を介して第２の雨水バケット２Ｂ（他方の雨水バケット２）に流れ、さらに、第２の雨水バケット２Ｂ（一方の雨水バケット２）内の雨水Ｗが、連結どい３を介して第１の雨水バケット２Ａ（他方の雨水バケット２）に流れる。このように、第１の雨水バケット２Ａは、「他方の雨水バケット２」としてのみ機能し、他の雨水バケット２Ｂ〜２Ｈは、適宜「一方の雨水バケット２」および「他方の雨水バケット２」として機能する。
【００２８】
また、連結どい３は、図４に示すような取付ユニット５によって、上記の水平に延びる腹材１０２に固定・配設されている。この取付ユニット５は、断面がコ字状で腹材１０２の水平部１０２ａを挟持する挟持ブロック５１を備え、挟持ブロック５１の上部に螺合された固定ボルト５２を締め付けることで、腹材１０２に着脱自在に取り付けられている。
【００２９】
また、挟持ブロック５１の下部には、下方に延びる吊り棒５３が配設され、この吊り棒５３の下端部に、水平方向に延びる板状の吊りバー５４が配設されている。一方、取付ユニット５は、丸棒をＵ字状に曲げて形成されたＵ字フック５５を備え、このＵ字フック５５の円弧内に連結どい３が嵌合されている。また、Ｕ字フック５５の両端部には、ネジ目が形成され、この両端部を吊りバー５４の挿入孔に挿入して、吊りバー５４の上下方向から固定ナット５６を締め付けることで、Ｕ字フック５５が挟持ブロック５１に連結されている。
【００３０】
このように、連結どい３は、Ｕ字フック５５、吊りバー５４、吊り棒５３および挟持ブロック５１を介して、吊り下げられた状態で腹材１０２に固定されている。このような固定状態では、取付ユニット５の中心（吊り棒５３）が連結どい３の中心に一致し、取付ユニット５の挟持ブロック５１や吊り棒５３などに付着した雨水Ｗが、より確実に連結どい３内に落下するようになっている。また、各連結どい３は、複数の取付ユニット５によって安定的に腹材１０２に固定されている。
【００３１】
排水パイプ４は、雨水バケット２Ａ〜２Ｈ内の雨水Ｗを所定の場所に導いて排水する管体であり、この実施の形態では、上記のように「他方の雨水バケット２」である第１の雨水バケット２Ａに配設されている。すなわち、図１に示すように、上端部が第１の雨水バケット２Ａの底部に接続され、鉄塔敷地Ｇに向かって下方に延び、下端部が排水槽（図示せず、所定の場所）に延びている。これにより、上記のようにして第１の雨水バケット２Ａに集水した雨水Ｗが、排水パイプ４内を流れて排水槽側に導かれ、排水槽に排水されるものである。
【００３２】
次に、このような構成の鉄塔用雨水排水装置１の作用などについて説明する。
【００３３】
雨が降って、鉄塔１００の上部の主柱材１０１や腹材１０２に落下、付着した雨水Ｗは、図１に示すように、主柱材１０１や腹材１０２を伝わって鉄塔１００の下部に流れる。さらに、雨水Ｗは、各部材交点Ｋ１、Ｋ２側に流れて集まり、各部材交点Ｋ１、Ｋ２から落下して各雨水バケット２Ａ〜２Ｈに受け容れられる。そして、第１の雨水バケット２Ａ内の雨水Ｗが排水パイプ４内を流れて排水槽に排水されるとともに、他の雨水バケット２Ｂ〜２Ｈ内の水位が連結どい３の底面を超えると、これらの雨水バケット２Ｂ〜２Ｈ内の雨水Ｗが、上記のようにして連結体３を介して第１の雨水バケット２Ａに流される。
【００３４】
例えば、第２の雨水バケット２Ｂ内の雨水Ｗが、連結どい３を介して第１の雨水バケット２Ａに流れるとともに、第３の雨水バケット２Ｃ内の雨水Ｗが、連結どい３を介して第２の雨水バケット２Ｂに流れて、さらに、第２の雨水バケット２Ｂから第１の雨水バケット２Ａに流れる。このようにして各雨水バケット２Ｂ〜２Ｈ内の雨水Ｗが第１の雨水バケット２Ａに集まって、排水パイプ４を介して排水槽に排水される。
【００３５】
と同時に、上記のように、水平に延びる腹材１０２や取付ユニット５に付着した雨水Ｗが下方に直接落下すると、連結どい３で受け止められ、連結どい３から隣接する雨水バケット２Ａ〜２Ｈに流れる。そして、上記と同様にして第１の雨水バケット２Ａに集まって、排水パイプ４を介して排水槽に排水されるものである。
【００３６】
以上のように、この鉄塔用雨水排水装置１によれば、各部材交点Ｋ１、Ｋ２側に流れた雨水Ｗが各雨水バケット２Ａ〜２Ｈに受け容れられ、排水パイプ４によって排水槽に導かれて排水される。このため、雨水Ｗが各部材交点Ｋ１、Ｋ２から集中落下することがなく、鉄塔敷地Ｇの侵食や主柱材１０１の腐食、さらには鉄塔倒壊などをより確実に防ぐことが可能となる。
【００３７】
また、雨水バケット２Ｂ〜２Ｈ内の雨水Ｗを連結どい３を介して第１の雨水バケット２Ａに集め、第１の雨水バケット２Ａから雨水Ｗを排水パイプ４で排水するため、すべての雨水バケット２Ａ〜２Ｈに対して排水パイプ４を設ける必要がない。このため、本装置１の構成が簡易になるとともに、排水槽を雨水バケット２Ａ〜２Ｈごとに設ける必要などがなく、設置や保守などに要する費用を軽減することが可能になる。
【００３８】
さらに、雨水バケット２Ａ〜２Ｈ同士が連結どい３で連結されているため、特定の雨水バケット２Ａ〜２Ｈ内の水量が多くなっても、この雨水バケット２Ａ〜２Ｈから他の雨水バケット２Ａ〜２Ｈに雨水が流れ、すべての雨水バケット２Ａ〜２Ｈ内の雨水量がほぼ均等になる。この結果、雨水バケット２Ａ〜２Ｈから雨水Ｗが溢れ出ることが防止・抑制され、鉄塔敷地Ｇの侵食などをより確実に防ぐことが可能となる。
【００３９】
また、水平に延びる腹材１０２や取付ユニット５に付着した雨水Ｗが下方に直接落下すると、連結どい３で受け止められるため、鉄塔敷地Ｇへの雨水Ｗの落下がより軽減され、鉄塔敷地Ｇの侵食などをより確実に防ぐことが可能となる。しかも、上記のように、取付ユニット５の中心が連結どい３の中心に一致しているため、取付ユニット５に付着した雨水Ｗがより確実に連結どい３内に落下し、鉄塔敷地Ｇへの雨水Ｗの落下がより軽減・抑制される。
【００４０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、雨水バケット２Ａ〜２Ｈを部材交点Ｋ１、Ｋ２の直下に配設しているが、部材交点Ｋ１、Ｋ２（連結板１０３）の周囲・側面を囲うように配設してもよい。また、連結体を雨どい状の連結どい３で構成しているが、パイプ・管材で構成してもよい。
【００４１】
さらに、排水パイプ４を第１の雨水バケット２Ａのみに配設し、１箇所のみから排水しているが、主柱材１００の構造、大きさや雨水バケット２Ａ〜２Ｈの数などに応じて、複数の排水パイプ４を設けるようにしてもよい。また、排水槽の位置や主柱材１００の構造などに応じて、排水パイプ４を他の雨水バケット２Ｂ〜２Ｈに配設してもよい。つまり、排水パイプ４の配設位置や配設数を柔軟かつ適正に設定することができる。
【００４２】
また、各連結どい３が水平に延びるように配設されているが、斜めに配設し、連結どい３内の雨水Ｗが、一方の雨水バケット２Ｂ〜２Ｈから他の雨水バケット２Ａ〜２Ｈに流れやすいようにしてもよい。
【符号の説明】
【００４３】
１          鉄塔用雨水排水装置
２Ａ〜２Ｈ  雨水バケット
２１ａ      挿入穴
２１ｂ      装着溝
３          連結どい（連結体）
４          排水パイプ（排水体）
５          取付ユニット
１００      鉄塔
１０１      主柱材（鉄塔部材）
１０２      腹材（鉄塔部材）
Ｋ１        第１の部材交点
Ｋ２        第２の部材交点
Ｇ          鉄塔敷地
Ｗ          雨水
【要約】      （修正有）【課題】雨水による鉄塔敷地の侵食などをより確実に防止する構造を提供する。【解決手段】鉄塔１００を構成する長尺の鉄塔部材１０１、１０２が交わる部材交点Ｋ１、Ｋ２に配設され、鉄塔部材１０１、１０２を伝わってきた雨水Ｗを受け容れる複数の雨水バケット２Ａ〜２Ｃと、雨水バケット２Ａ〜２Ｃ同士を連結し、一方の雨水バケット２Ａ〜２Ｃ内の雨水Ｗを他方の雨水バケット２Ａ〜２Ｃに流す連結どい３と、雨水バケット２Ａ〜２Ｃ内の雨水Ｗを所定の場所に導いて排水する排水パイプ４と、を備える構成とした。【選択図】図１【図１】
0005497135.tif 000002
【図２】
0005497135.tif 000003
【図３】
0005497135.tif 000004
【図４】
0005497135.tif 000005